(57)【要約】【課題】部品点数が少なく強度が大きく、作業性、運搬や保管が容易であり、屋根上パネルを固定するための調節部材が斜面に沿って滑り落ち位置決めが困難または台無しになるトラブルが解消され、施工性が向上した屋根上パネルの装着具を提供する。【解決手段】屋根上パネルを敷設材上に装着するための装着具１であって、固定部材２と調節部材５とからなり、前記固定部材２は前記調節部材５が摺動可能な摺動板２ａと、固定金具を挿通可能な固定孔が穿設された下部板２ｂを有しており、前記調節部材５は前記屋根上パネルの周縁部を押圧可能な押圧手段５ｂと、前記摺動板２ａの下面に配置され摺動可能な座板５ａと、該押圧手段５ｂと該座板５ａとを締結することにより前記固定部材２と前記押圧手段５ｂの間で屋根上パネルを挟持するための緊締手段５ｃと、前記摺動板２ａを挟持して摺動板２ａ上における調節部材５の摺動を止める一時的に仮止め手段５ｄを有することを特徴とする屋根上パネルの装着具１である。【選択図】図１
2012246697.tif 000002
【特許請求の範囲】
【請求項１】
屋根上パネルを敷設材上に装着するための装着具であって、固定部材と調節部材とからなり、
前記固定部材は前記調節部材が摺動可能な摺動板と、固定金具を挿通可能な固定孔が穿設された下部板を有しており、
前記調節部材は前記屋根上パネルの周縁部を押圧可能な押圧手段と、前記摺動板の下面に配置され摺動可能な座板と、該押圧手段と該座板とを締結することにより前記固定部材と前記押圧手段の間で屋根上パネルを挟持するための緊締手段と、前記摺動板を挟持して摺動板上における調節部材の摺動を止める仮止め手段を有することを特徴とする屋根上パネルの装着具。
【請求項２】
固定孔にはブロック状の粘土状粘着剤が配置されていることを特徴とする請求項１に記載の屋根上パネルの装着具。
【請求項３】
粘土状粘着剤がブチルゴムからなることを特徴とする請求項２に記載の屋根上パネルの装着具。
【請求項４】
下部板の下に緩衝材が設けられているとともに、該緩衝材には前記下部板の固定孔と連通する連通孔が設けられていることを特徴とする請求項２又は３に記載の屋根上パネルの装着具。
【請求項５】
前側の敷設材の尻部の上に後側の敷設材の頭部を重ねて敷設材が敷設されている屋根に取り付ける屋根上パネルの装着具であって、固定部材の長さは前後に配置される２枚の敷設材の頭部の間隔よりも長いことを特徴とする請求項１乃至４のいずれかに記載の屋根上パネルの装着具。
【請求項６】
押圧手段の下にアース用通電板が設けられており、該アース用通電板の前部及び後部に屋根上パネルの絶縁皮膜を貫通又は破壊可能な爪部が設けられていることを特徴とする請求項１乃至５のいずれかに記載の屋根上パネルの装着具。
【発明の詳細な説明】
【技術分野】
【０００１】
本発明は太陽電池モジュール等の屋根上パネルを屋根に固定するための装着具に関し、更に詳しくは、縦桟や横桟が不要で部品点数が少なく施工が容易であるとともに強度が強く、また、施工や運搬が容易な屋根上パネルの装着具に関するものである。
【背景技術】
【０００２】
近年、エネルギーコストの上昇により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上に設置される（このパネル状のユニットを総称して屋根上パネルと称する）。
【０００３】
このような屋根上パネルを瓦やスレート等の敷設材が敷設された屋根の上に設置する方法としては、従来、例えば長い縦桟の上に長い横桟を固着し、さらにその上に屋根上パネルを設置する取り付け構造（例えば特許文献１）や、屋根の斜面方向に伸びる取付金具の上に長い横桟を固着し、さらにその上に屋根上パネルを設置する支持装置（例えば特許文献２）が開示されている。
【０００４】
しかしながら、上記のような長尺の縦桟や横桟を使用する方法や構造では、部品点数が多くなりすぎ、組み立て作業が煩雑になるばかりでなく、部品の継ぎ目部分で壊れやすくなるため強度が低く耐久性が不十分となり、また、コスト高とならざるを得ない。また、縦桟と横桟があるため、配線ケーブルの配置が困難となるばかりでなく、屋根上の歩行も困難で、作業性が低下するという問題がある。更に、部品点数が多く且つ長尺物を使用するため、施工が困難であり、また、資材管理や、取り扱い性、保管や運搬も容易ではない。特に、これらの構造では縦桟の上に配された横桟の上に屋根上パネルが設置されるため、屋根と屋根上パネルとの隙間が大きくなり、この隙間に風が入り込むことにより、強風時には屋根上パネルが吹き飛ばされる恐れがあり、風の強い地方では使用が困難である。
【０００５】
そこで、短尺の固定部材と当該固定部材の上を摺動する調節部材からなり、固定部材を屋根の上に固定してから調節部材で屋根上パネルを固定する構造の固定具も提案されている（例えば特許文献３）。この固定具及びこの固定具を用いた固定方法は部品点数が少なく、施工性が良好であるとともに、部品の継ぎ目部分が少なくなるので耐久性に優れ、また、配線ケーブルの配置や屋根上の歩行も容易であり、取り扱い性が良好で保管や運搬が容易である等、これまでの取り付け方法より非常に優れている。
しかしながら、通常の場合、この固定具における調節部材の摺動方向と屋根の傾斜方向が一致しているので、屋根上パネルを取り付ける際に、一つの固定具の調節部材を適当な位置に配置しても、他の固定具の調節部材の位置決めをしている間に、先に位置決めした固定具の調節部材が斜面に沿って滑り落ちて、位置決めをやり直す必要が生じることがある。その他にも、取り扱い中や運搬中に調節部材が脱落したり、固定部材が調節部材の脱落を防ぐための端面板を有する場合には該端面板に当接して音をたてるなどの問題を含んでおり、さらなる改良の余地が残されていた。
【先行技術文献】
【特許文献】
【０００６】
【特許文献１】特開２００３−３４３０５８号公報（図１）
【特許文献２】特開２００６−３２２２３３号公報（図４）
【特許文献３】特開２０１０−２４６６８号公報
【発明の概要】
【発明が解決しようとする課題】
【０００７】
本発明は、かかる実情に鑑み、上記従来技術の問題点を解決し、部品点数が少なく、施工性が良好であるとともに、部品の継ぎ目部分が少なくなるので耐久性に優れ、また、配線ケーブルの配置や屋根上の歩行も容易であり、取り扱い性が良好で保管や運搬が容易なだけでなく、調節部材が不意に滑り落ちるのを防止して施工性をさらに向上させることができる屋根上パネルの装着具を提供することを課題とする。
【課題を解決するための手段】
【０００８】
上記課題を解決するための本発明の特徴の第１は、屋根上パネルを敷設材上に装着するための装着具であって、固定部材と調節部材とからなり、前記固定部材は前記調節部材が摺動可能な摺動板と、固定金具を挿通可能な固定孔が穿設された下部板を有しており、前記調節部材は前記屋根上パネルの周縁部を押圧可能な押圧手段と、前記摺動板の下面に配置され摺動可能な座板と、該押圧手段と該座板とを締結することにより前記固定部材と前記押圧手段の間で屋根上パネルを挟持するための緊締手段と、前記摺動板を挟持して摺動板上における調節部材の摺動を止める仮止め手段を有する屋根上パネルの装着具を内容とする。
【０００９】
本発明の特徴の第２は、固定孔にはブロック状の粘土状粘着剤が配置されている上記の屋根上パネルの装着具を内容とする。
【００１０】
本発明の特徴の第３は、粘土状粘着剤がブチルゴムからなる上記の屋根上パネルの装着具を内容とする。
【００１１】
本発明の特徴の第４は、下部板の下に緩衝材が設けられているとともに、該緩衝材には前記下部板の固定孔と連通する連通孔が設けられている上記の屋根上パネルの装着具を内容とする。
【００１２】
本発明の特徴の第５は、前側の敷設材の尻部の上に後側の敷設材の頭部を重ねて敷設材が敷設されている屋根に取り付ける屋根上パネルの装着具であって、固定部材の長さは前後に配置される２枚の敷設材の頭部の間隔よりも長いことを特徴とする上記の屋根上パネルの装着具を内容とする。
【００１３】
本発明の特徴の第６は、押圧手段の下にアース用通電板が設けられており、該アース用通電板の前部及び後部に屋根上パネルの絶縁皮膜を貫通又は破壊可能な爪部が設けられている上記の屋根上パネルの装着具を内容とする。
【発明の効果】
【００１４】
本発明の屋根上パネルの装着具は、摺動板を挟持して摺動板上における調節部材の摺動を一時的に止める仮止め手段を有するので、一の調節部材を位置決めした後、他の調節部材を位置決めしている間に、先に位置決めした調節部材が斜面に沿って滑り落ちてしまう不都合が解消され、施工性が向上する。また、取り扱い中や運搬中に調節部材が固定部材から脱落したり、固定部材が調節部材の脱落を防ぐための端面板を有する場合には、該端面板に当接して音をたてるといった問題も解消される。
【００１５】
固定孔にブロック状の粘土状粘着剤（以後、粘着剤ブロックと称することがある）を配置すれば、ビス等の固定金具を打ち込む際に、固定金具の先端に粘着剤ブロックが付着するので、敷設材と固定金具の間に粘着剤が入り込むと同時に、固定金具が打ち込まれた箇所の周囲で野地板（通常、野地板の上には、防水のためのルーフィング材が敷設されるので、厳密にはルーフィング材又はルーフィング材と野地板）の上に粘着剤が盛り上がって固定金具と野地板との隙間を塞ぐので、止水性が顕著に向上する。
また、施工時に粘着剤をコーキングガン等で注入する従来の方法と異なり、粘着剤の量が足りなかったり、粘着剤を盛り上げる場所が適正でなかったり、粘着剤の注入を失念する不都合が防止され、確実に止水できる。
なお、粘土状粘着剤としてはブチルゴムからなる粘着剤が好適に使用できる。
【００１６】
下部板の下に緩衝材を設ければ、敷設材上に取り付けた際にもガタツキがなく、固定金具を強く打ち付けたような場合でも敷設材を傷つけにくくなり、また、緩衝材の摩擦力により取り付け前の装着具が敷設材の上を滑り落ちるような不都合を回避できる。また、固定孔に粘着剤ブロックを配置した場合に、この緩衝材に固定孔と連通する孔を設ければ、この孔が粘着剤ブロックを保護する役割を果たし、当該粘着剤ブロックが不要な箇所に接着したり、他の工具を汚したりする不都合が回避できる。
【００１７】
固定部材の長さを、前後に配置される２枚の敷設材の頭部の間隔よりも長くすれば、当該固定部材を２つの敷設材の頭部に架設するだけで、当該固定部材を野地板と平行にすることができ、多数の装着具を設置する場合でも、これらを同一平面上に配置するのが容易なので、屋根上パネルの設置も容易になる。
【００１８】
押圧手段の下に、屋根上パネルの絶縁皮膜を貫通又は破壊可能な爪部を設けたアース用通電板を設ければ、一番下の屋根上パネルにだけアース配線を設ければ、全ての屋根上パネルをアースしたのと同様の効果が得られ、アース配線を単純化できる。
【図面の簡単な説明】
【００１９】
【図１】図１は本発明の屋根上パネルの装着具の一例を示す斜視図である。
【図２】図２は図１のＡ−Ａ断面図である。
【図３】図３は図１のＢ−Ｂ断面図である。
【図４】図４（ａ）は図１の装着具における固定部材の平面図であり、（ｂ）はその一部切除側面図である。
【図５】図５（ａ）は緩衝材を設けた固定部材の例を示す説明断面図であり、（ｂ）は緩衝材及びブロック状の粘土状粘着剤を設けた固定部材の例を示す説明断面図である。
【図６】図６（ａ）は調節部材の一例を示す正面図であり、（ｂ）はその平面図、（ｃ）はその底面図である。
【図７】図７は調節部材の別の例を示す正面図である。
【図８】図８は本発明の屋根上パネルの装着具を用いてパネルを装着する方法において、固定孔の下に位置する敷設材（化粧スレート板）に固定金具を挿通するための挿通孔を穿設した状態を示す説明図である。
【図９】図９は本発明の屋根上パネルの装着具を用いてパネルを装着する方法において、前後の敷設材の頭部に本発明の装着具を架設した状態を示す説明図である。
【図１０】図１０は本発明の屋根上パネルの装着具を用いてパネルを装着する方法において、固定孔及び挿通孔に挿通した固定金具を野地板に打ち込んだ状態を示す説明図である。
【図１１】図１１は本発明の屋根上パネルの装着具を用いてパネルを装着する方法において、パネルの位置に応じて調節部材の位置決めをして仮止め部材で仮止めした状態を示す説明図である。
【図１２】図１２は本発明の屋根上パネルの装着具を用いてパネルを装着する方法において、緊締手段を締め込み、調節部材の押圧手段と固定部材の載置部との間にアース用通電板を介して屋根上パネルを固定し、装着が完了した状態を示す説明図である。
【図１３】図１３は最前列及び最後列の屋根上パネルを固定する場合の屋根上パネルの装着具の一例を示す説明図である。
【図１４】図１４は敷設材として瓦を用い、その上に屋根上パネルを装着した例を示す説明図である。
【発明を実施するための形態】
【００２０】
本発明の屋根上パネルの装着具は、屋根上パネルを化粧スレート板や瓦等の敷設材上に装着するためのものであり、例えば図１乃至図４に示したように、固定部材２は調節部材５が摺動可能な摺動板２ａと、固定金具Ｖを挿通可能な固定孔２ｂ１が穿設された下部板２ｂを有しており、調節部材５は屋根上パネルの周縁部を押圧可能な押圧手段５ｂと、前記摺動板２ａの下面に配置され摺動可能な座板５ａと、該押圧手段５ｂと該座板５ａとを締結することにより固定部材２と押圧手段５ｂの間で屋根上パネルを挟持するための緊締手段５ｃと、摺動板２ａを挟持して摺動板２ａ上における調節部材５の摺動を止める一時的に仮止め手段５ｄを有することを特徴とする。
【００２１】
本発明において固定部材２は、少なくとも摺動板２ａと、下部板２ｂを有している。
本発明において摺動板２ａは調節部材５を固定部材２の長さ方向に摺動させるための部材であり、その構造は調節部材５が摺動可能である限り、特に限定されないが、図示した例では、摺動板２ａは下部板２ｂから立設される２枚の側板２ｃの内壁から対向するように横設され、対向する摺動板２ａの間の部分が長溝２ａＬが形成されており、緊締手段等の動きがこの長溝２ａＬによって規制されることにより、調節部材５の摺動方向が規制されるように構成されている。
【００２２】
本発明において下部板２ｂは固定部材２の底板になる部分であり、図４に示すように、複数の固定孔２ｂ１が直線状に穿設されている。
本発明において、固定孔２ｂ１は固定部材２と敷設材Ｔを固定するための固定金具Ｖを挿通するための貫通孔である（図１０参照）。固定孔２ｂ１は下部板２ｂに少なくとも２個設けられるが、例えば５ｃｍ程度の間隔をあけて多数個（具体的な個数は固定部材２の長さにより異なる）の固定孔２ｂ１を列設すれば、屋根上パネルの周縁部が配置される位置に応じて使用する固定孔２ｂ１を変えて、固定部材２を固着する位置をずらせて調整できるので好ましい。
【００２３】
本発明において固定部材２の上端付近に、屋根上パネルＰを載置するための載置部２ｃＰが設けられる。図示した例において、載置部２ｃＰは前記下部板２ｂの長辺側の端縁から立設された側板２ｃの上端から水平方向に外側に延設されているが、これに限定されず、内側、又は内外両側に延設してもよい。このようにすれば、載置部２ｃＰの屋根上パネルとの接触面積が大きくなるので屋根上パネルを安定的に載置、固定できるばかりでなく、また、固定部材２を補強する効果も得ることができる。勿論、水平方向に延設せずに側板２ｃの上端をそのまま載置部２ｃＰとして使用することもできる。
【００２４】
さらに、本発明では、調節部材５を固定部材２と組み合わせる際に、摺動板２ａの下に配置される座板５ａを仮置きして組み立て易くするための仮置き板２ｄを設けることができる。仮置き板２ｄは前記摺動板２ａの下に、前記摺動板２ａと同様の態様で設けられている。
【００２５】
本発明においては、図示するように、調節部材５が脱落するのを防ぐための端面板２ｅを固定部材２の長さ方向端面に設けることもできる。但し、この場合、雨水等が固定部材の内部に溜まる恐れがあるので、端面板２ｅと固定部材２の境界付近の下部板２ｂに排水口２ｂ２を設けるのが好ましい。
【００２６】
固定部材２の長さは特に限定されないが、取り扱い性や作業性、更には配線ケーブルの設置の容易性、屋根上の歩行の容易性からは、５０ｃｍ以下程度が好ましい。また、例えば、図４で示したように、２個以上の固定孔２ｂ１を等間隔に列設して固定位置を調節可能とすれば、２０ｃｍ以下程度にまで小さくすることも可能である。
但し、固定部材２の長さを前後に配置される２枚の敷設材Ｔの頭部Ｔ１の間隔よりも長くすれば、後述の理由により、屋根上パネルＰを敷設材Ｔの上に装着するのが容易になるので、結局、固定部材２の長さは、前後に配置される敷設材Ｔの頭部Ｔ１の間隔より長く、且つ５０ｃｍ以下とするのが好ましい。
【００２７】
本発明においては、固定孔２ｂ１にブロック状の粘土状粘着剤３（以後、粘着剤ブロック３と称することがある）を配置、好ましくは粘着剤ブロック３を固定孔２ｂ１の下側に配置することができる。このようにすれば、固定孔２ｂ１に固定金具Ｖを挿通する際に、粘着剤ブロック３が固定金具Ｖに付着して随伴し、敷設材Ｔや野地板Ｂと固定金具Ｖの隙間をシーリングするので、止水性が良好になる。
粘着剤ブロック３を配置する方法は特に限定されないが、例えば図２、図３に示されるように、粘土状粘着剤を球状に丸めて、この粘着剤ブロック３を下側から固定孔２ｂ１に押し込んで、粘着剤ブロック３の一部が固定孔２ｂ１のなかに入り込んで嵌着された状態にする方法が例示できる。このようにすれば、粘着剤ブロック３が固定孔２ｂ１から脱落することがないので、作業性が高まる。
【００２８】
粘土状粘着剤としては特に限定されず、固定孔２ｂ１の下に配置された粘着剤ブロック３が容易に液状にならず、固定金具Ｖとの接着性が良好で、敷設材Ｔに挿通孔Ｔ３を開けて固定金具Ｖを通せば粘土状粘着剤が固定金具Ｖに付着したまま敷設材Ｔの挿通孔Ｔ３と固定金具Ｖの隙間を通る程度の流動性を呈する物質であればどのようなものでも使用できるが、中でもブチルゴム系粘着剤が好ましい。市販品としては、例えば、ＳＥＡＬＥＲ社製ブチルリボンテープ（φ５×３０ｍｍ）が好適に使用できる。なお、このブチルリボンテープを用いる場合には、１本のブチルリボンテープを２枚の樹脂製の板の間でこねて丸め、ブロック状にしてから使用すると、好適に粘着剤ブロック３を固定孔２ｂ１に嵌着できる。
なお、粘土状粘着剤の量は、固定孔及び固定金具のサイズ、即ち、両者間の隙間等にもよるが、通常、０．３〜０．７ｇ／個程度が好ましく、約０．５ｇ／個が更に好ましい。粘土状粘着剤の量が基準量の０．３ｇ／個より少ないと野地板Ｂと固定金具Ｖの止水性が劣る傾向があり、０．７ｇ／個より多ければ止水性はそれ以上改良されずにコストだけ上昇する傾向がある。
【００２９】
本発明において、下部板２ｂの下には、図５（ａ）に示すように、緩衝材４を設けることもできる。これにより、装着具１を取り付ける際に該装着具１を敷設材Ｔに強く締め付けても敷設材Ｔが破損する心配がないので、作業性が高められる。また、シール性が付与され、雨水の浸入が阻止される効果もある。このような緩衝材としては、ＥＰＤＭシーラー、軟質ポリウレタンフォーム、ポリエチレンフォーム等が挙げられる。
なお、固定孔２ｂ１の下に前記した粘着剤ブロック３を配置してさらに緩衝材４を設ける場合には、図２、図３に示すように、緩衝材４に前記固定孔２ｂ１と連通する連通孔４Ｈを設けるほうが好ましい。このようにすれば、粘着剤ブロック３が連通孔４Ｈのなかに入り込むので、下部板２ｂ側を下にして本発明の装着具１を床上等に置いた場合でも、粘土状粘着剤が床面に接着するといったトラブルが防止される。
但し、連通孔４Ｈは、かならずしも緩衝材４を貫通している必要はなく、例えば図５（ｂ）に示すように底を有する窪みであってもよく、このような窪みからなる場合は、粘着剤ブロック３を固定孔２ｂ１に嵌着する必要はなく、単に連通孔４Ｈのなかに粘着剤ブロック３を収容してから、緩衝材４を下部板２ｂに接着すればよい。
【００３０】
本発明において調節部材５は、図６に示したように、座板５ａと、押圧手段５ｂと、両者を接結する緊締手段５ｃと、仮止め手段５ｄを有する。
本発明において押圧手段５ｂとは、屋根上パネルの周縁部を押圧して固定するための手段であり、その形状は屋根上パネルの周縁部を押圧可能である限り特に限定されないが、例えば図６（ａ）に示されるような、断面Ｕ字状の基部５ｂ１の両端から板状の押え部５ｂ２が横設された形状にすれば、周縁部に係止バー等が設けられていない屋根上パネルであっても装着が可能であり、緊締手段５ｃも断面Ｕ字状の基部の中に納まり、美観にも優れるので好ましい。周縁部に係止バーＰｂが設けられている屋根上パネルＰの場合は、図７に示すように、断面逆Ｕ字状の押圧手段５ｂを用いて、係止バーＰｂのみを押えるようにしてもよい。
なお、図６に示した例において、基部５ｂ１の前側及び後側に設けられた押え部５ｂ２はそれぞれ前側及び後側に配置された屋根上パネルの周縁部を押圧して、１つの調節部材５で前後２枚の屋根上パネルＰを固定できるようになっている。
【００３１】
また、断面Ｕ字状の基部５ｂ１の両端から板状の押え部５ｂ２が横設された形状の押圧手段を単独で用いた場合、基部５ｂ１の高さが小さいと、施工時において足場の悪い現場で、押圧手段５ｂを屋根上パネルＰの高さまで持ち上げる手間が煩雑であり、逆に基部５ｂ１の高さが大きいと、当該基部５ｂ１の高さより薄い屋根上パネルＰに対して使用できず汎用性に欠ける。この二律背反する欠点を解消するため、図６に示したように、ナットを高さ調節部５ｂ３として用い、基部５ｂ１の高さを小さくして、使用する屋根上パネルの厚さに応じて高さ調節部５ｂ３を移動させ、予め適当な高さまで押圧手段５ｂを持ち上げるように構成されているのが好ましい（図６（ａ）参照）。
【００３２】
本発明において緊締手段５ｃとは、固定部材２の座板５ａと押圧手段５ｂの間で屋根上パネルＰを挟持するための手段であり、通常はボルト５ｃ１及びナット５ｃ２が用いられるが、本発明の目的を達成できる限り、これには限定されない。
【００３３】
本発明において仮止め手段５ｄは、座板５ａとの間で摺動板２ａを挟持して摺動板２ａ上における調節部材５の摺動を一時的に止めるための手段である。図６において、仮止め手段５ｄは小板５ｄ１とボルト５ｄ２からなり、座板５ａに雌ネジを切って、必要に応じボルト５ｄ２を締め込むことにより、小板５ｄ１と座板５ａの間で摺動板２ａを挟持するように構成されているが、これには限定されず、例えばクリップのような構造で常に弱い挟圧力（重力により自然に滑り落ちることはないが、手で容易に動かすことが出来る程度の挟圧力）で挟持するようにしてもよい。また、ボルト５ｄ２を蝶ネジタイプとすることにより、工具を必要とすることなく手で操作できるので、作業性が良好になる。
【００３４】
本発明においては、図６に示すように、押圧手段５ｂの下にアース用通電板５ｅを配置することにより、前後の屋根上パネルＰの外装材を電気的に接続して、アース配線を簡略化することができる。このアース用通電板５ｅは前部及び後部に屋根上パネルＰの絶縁皮膜を貫通できる程度の爪部５ｅＣが設けられており、屋根上パネルＰと固定部材２の間に介設されるように配置される。そして、緊締手段５ｃを締め込んだ際にその挟圧力を利用して爪部５ｅＣが屋根上パネルＰの絶縁皮膜を貫通又は破壊して、前後の屋根上パネルＰの外装材を電気的に接続するように構成されている。このようにすれば、最も下の屋根上パネルだけにアース配線を設ければ、本発明の装着具１により固定された全ての屋根上パネルをアースしたのと同様の効果が得られるので、全ての屋根上パネルにアース配線を設けるような煩雑さを避けることができる。
【００３５】
本発明における固定部材２、調節部材５の材質は特に限定されず、アルミニウム、鉄（防錆処理した）、銅、ステンレス等の金属や、ＡＢＳ（アクリロニトリル- ブタジエン- スチレン共重合樹脂）、ＡＡＳ樹脂（アクリロニトリル／アクリルゴム／スチレン）、ＡＥＳ樹脂（アクリロニトリル／エチレンプロピレンゴム／スチレン）、ＡＳ樹脂（アクリロニトリル／スチレン）、ＰＳ樹脂（ポリスチレン樹脂）、ＰＭＭＡ樹脂、ＰＶＣ樹脂、ＭＳ樹脂（メチルメタクリレート／スチレン樹脂）、ＰＰ（ポリプロピレン樹脂）、ＰＥ（ポリエチレン樹脂）、ＰＢＴ（ポリブチレンテレフタレート樹脂）およびＰＣ樹脂（ポリカーボネート樹脂）等の樹脂等が使用可能であるが、屋根上パネルＰを好適に支持し固定できる剛性を有する点で金属が好ましく、軽量で耐腐食性が高いアルミニウムが最も好ましい。固定部材２及び調節部材５の押圧手段５ｂについては、アルミニウムの押出成形品が好ましい。
【００３６】
以下、上記のような屋根上パネルの装着具１を用いて、化粧スレート板からなる敷設材Ｔの上に屋根上パネルＰを装着する方法について説明する。
なお、以下の図において、野地板上のルーフィング材は省略されている。また、水平状に記載されている場合の流れ勾配は、図９の場合と同様に、図面上右から左の方向である。
図８に示すように、最初に、本発明の装着具１を敷設材Ｔの上に固定する。但し、本発明の屋根上パネルの装着具１は、複数個（通常は４個）で１枚の屋根上パネルＰを支持固定するので、それぞれの屋根上パネルの装着具１（特に、載置部２ｃＰ）は同一平面上にある必要があるが、通常、敷設材はその頭部Ｔ１を前側に敷設された敷設材の尻部Ｔ２の上に重ねて配置するため、その勾配は野地板の勾配よりも小さくなり、一枚の敷設材Ｔの上に一つの装着具１を直接設置しようとすれば、それぞれの載置部２ｃＰは、同一平面上にはならず、屋根上パネルを容易には設置できない。従って、載置部２ｃＰを同一平面上に配置するために、載置部２ｃＰを野地板Ｂと平行になるように工夫したほうが、屋根上パネルを簡単に設置できるようになるので好ましい。なお、図８では、頭部と尻部との差があまり明確でない化粧スレート板を用いるとともに、要部を拡大して示しているためわかりにくいので、頭部と尻部との差が明確な瓦を用いて示した図９を参照されたい。
載置部２ｃＰと野地板Ｂを平行にする方法としては、特開２０１０−２４６６８号公報（図９）に記載されているような勾配調整部材を屋根瓦と装着具１の間に介設する方法、特開２０１０−２０９５４１号公報（図１）に記載されているような、上面が野地板Ｂと平行になるように計算して設けられた台座部を有する瓦を用いる方法等が例示できるが、例えば図９に示したように、固定部材２の長さを前後に配置される２枚の敷設材の頭部Ｔ１の間隔よりも長くし、前後の頭部Ｔ１の間に固定部材２を架設すれば、容易に載置部２ｃＰと野地板Ｂを平行にすることが出来る。
【００３７】
また、本発明において、緊締手段５ｃにより締め込む前は、調節部材５は摺動板２ａの上で固定部材２の長さ方向に自在に摺動可能である。従って、本発明の装着具１で屋根上パネルを固定する際には、固定部材２の位置合わせは載置部２ｃＰの上に屋根上パネルの周縁部が載る程度の精度で十分であり、その後に調節部材５を摺動させて精密な位置合わせをすればよい。
【００３８】
装着具１を敷設材Ｔの上に固定するには、まず、上記図８に示すように、敷設材Ｔに挿通孔Ｔ３を穿設して、固定孔２ｂ１の位置と挿通孔Ｔ３の位置を合わせる。
次に、図１０に示すように、固定金具Ｖを固定孔２ｂ１と挿通孔Ｔ３に通して、野地板Ｂに固定金具Ｖを打ち込む。この際、固定孔２ｂ１に粘着剤ブロック３が配置されている場合は、この粘着剤ブロック３が固定金具Ｖに付着し、挿通孔Ｔ３と固定金具Ｖの隙間で引き伸ばされて、固定金具Ｖの周囲が粘土状粘着剤で覆われるが、固定金具Ｖが野地板Ｂに打ち込まれる際に粘土状粘着剤は野地板Ｂと固定金具Ｖの隙間付近に団子状に盛り上がる。この結果、挿通孔Ｔ３と固定金具Ｖの隙間、及び野地板Ｂと固定金具Ｖの隙間はともに粘土状粘着剤により埋められるので、止水性が向上する。
【００３９】
次に、装着具１に屋根上パネルＰを固定するが、そのためにはまず、図１１に示すように、屋根上パネルを設置する位置に応じて調節部材５の位置決めをしてから、仮止め手段５ｄと座板５ａとの間に摺動板２ａを挟み、調節部材５が摺動板２ａ上を不意に移動しないように仮止めする。
次に、図１２に示すように、屋根上パネルＰを固定部材２の載置部２ｃＰと押圧手段５ｂの間に配置して緊締手段５ｃを締め込むことにより、屋根上パネルＰの敷設材Ｔ上への装着が完了する。なお、この際にアース用通電板５ｅが設けられている場合は、緊締手段５ｃを締め込む際に爪部５ｅＣが屋根上パネルＰの底部に食い込んで絶縁皮膜を貫通又は破壊し、これにより屋根上パネルＰの外装材が電気的に接続される。従って、一番下の屋根上パネルにだけアース配線を設ければ、全ての屋根上パネルＰがアースされるので、配線作業が容易になる。
【００４０】
なお、最前列及び最後列の屋根上パネルＰを固定する場合、図６に示したような押え部５ｂ２を前後両方に有する押圧手段５を用いれば、押圧手段５が傾いてしまい、屋根上パネルＰを強固に固定できなくなる場合がある。このような場合は、図１３に示したように、使用しない押え部５ｂ２の下に屋根上パネルＰの厚さと同じ高さの端部材５ｂ４を設けて、前後のバランスをとればよい。端部材５ｂ４の形状は特に限定されないが、断面Ｌ字型に屈折させた板状部材が例示できる。
【００４１】
図１４は、敷設材Ｔとして、化粧スレート板に代えて瓦を用い、屋根上パネルＰを敷設材Ｔ上へ装着した場合の一例を示す。本例では、粘着剤ブロック３が固定金具Ｖに付着した状態で、固定金具Ｖと野地板Ｂとの隙間のみならず、固定金具Ｖと瓦との隙間も塞がれ、瓦内に水が入りにくい状態とされている。
【産業上の利用可能性】
【００４２】
上記したとおり、本発明の屋根上パネルの装着具は、縦桟や横桟等の長尺物を使用することなく、直接屋根上パネルを設置できるので施工が容易であるとともに、構造が簡単で継目が少ないため強度が大きく耐久性に優れている。また、仮止め手段を設けたことにより位置決めした調節部材が摺動板上を移動して位置決めが困難又は台無しになるといったトラブルが解消されて、施工性が格段に向上する。
更に、アース用通電板を使用することにより、本発明の装着具により屋根上パネルを装着すると同時にアースすることが可能となり、作業性が一層向上する。
更にまた、固定部材の下部板の固定孔にブロック状の粘土状粘着剤を配置することにより、固定金具を野地板に打ち込むと同時に粘土状粘着剤が野地板と固定金具との隙間を塞ぐので止水性が高められる。
【符号の説明】
【００４３】
１  屋根上パネルの装着具
２  固定部材
２ａ  摺動板
２ａＬ  長溝
２ｂ  下部板
２ｂ１  固定孔
２ｂ２  排水口
２ｃ  側板
２ｃＰ  載置部
２ｄ  仮置き板
２ｅ  端面板
３  ブロック状の粘土状粘着剤（粘着剤ブロック）
４  緩衝材
４Ｈ  連通孔又は窪み
５  調節部材
５ａ  座板
５ｂ  押圧手段
５ｂ１  基部
５ｂ２  押え部
５ｂ３  高さ調節部
５ｂ４  端部材
５ｃ  緊締手段
５ｃ１  ボルト
５ｃ２  ナット
５ｄ  仮止め手段
５ｄ１  小板
５ｄ２  ボルト
５ｅ  アース用通電板
５ｅＣ  爪部
Ｂ  野地板
Ｐ  屋根上パネル
Ｐｂ  係止バー
Ｔ  敷設材
Ｔ１  頭部
Ｔ２  尻部
Ｔ３  挿通孔
Ｖ  固定金具
【図１】
2012246697.tif 000003
【図２】
2012246697.tif 000004
【図３】
2012246697.tif 000005
【図４】
2012246697.tif 000006
【図５】
2012246697.tif 000007
【図６】
2012246697.tif 000008
【図７】
2012246697.tif 000009
【図８】
2012246697.tif 000010
【図９】
2012246697.tif 000011
【図１０】
2012246697.tif 000012
【図１１】
2012246697.tif 000013
【図１２】
2012246697.tif 000014
【図１３】
2012246697.tif 000015
【図１４】
2012246697.tif 000016
【手続補正書】
【提出日】平成23年9月7日(2011.9.7)
【手続補正１】
【補正対象書類名】明細書
【補正対象項目名】０００７
【補正方法】変更
【補正の内容】
【０００７】
本発明は、かかる実情に鑑み、上記従来技術の問題点を解決し、部品点数が少なく、施工性が良好であるとともに、部品の継ぎ目部分が少なくなるので耐久性に優れ、また、配線ケーブルの配置や屋根上の歩行も容易であり、取り扱い性が良好で保管や運搬が容易なだけでなく、調節部材が不意に滑り落ちるのを防止して施工性をさらに向上させることができ、更に、止水性が向上する屋根上パネルの装着具を提供することを課題とする。
【手続補正２】
【補正対象書類名】明細書
【補正対象項目名】０００８
【補正方法】変更
【補正の内容】
【０００８】
上記課題を解決するための本発明の特徴の第１は、屋根上パネルを敷設材上に装着するための装着具であって、固定部材と調節部材とからなり、前記固定部材は前記調節部材が摺動可能な摺動板と、固定金具を挿通可能な固定孔が穿設された下部板を有しており、前記調節部材は前記屋根上パネルの周縁部を押圧可能な押圧手段と、前記摺動板の下面に配置され摺動可能な座板と、該押圧手段と該座板とを締結することにより前記固定部材と前記押圧手段の間で屋根上パネルを挟持するための緊締手段と、前記摺動板を挟持して摺動板上における調節部材の摺動を止める仮止め手段を有し、前記固定孔にはブロック状の粘土状粘着剤が配置されている屋根上パネルの装着具を内容とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の特徴の第２は、粘土状粘着剤がブチルゴムからなる上記の屋根上パネルの装着具を内容とする。
【手続補正５】
【補正対象書類名】明細書
【補正対象項目名】００１１
【補正方法】変更
【補正の内容】
【００１１】
本発明の特徴の第３は、下部板の下に緩衝材が設けられているとともに、該緩衝材には前記下部板の固定孔と連通する連通孔が設けられている上記の屋根上パネルの装着具を内容とする。
【手続補正６】
【補正対象書類名】明細書
【補正対象項目名】００１２
【補正方法】変更
【補正の内容】
【００１２】
本発明の特徴の第４は、前側の敷設材の尻部の上に後側の敷設材の頭部を重ねて敷設材が敷設されている屋根に取り付ける屋根上パネルの装着具であって、固定部材の長さは前後に配置される２枚の敷設材の頭部の間隔よりも長いことを特徴とする上記の屋根上パネルの装着具を内容とする。
【手続補正７】
【補正対象書類名】明細書
【補正対象項目名】００１３
【補正方法】変更
【補正の内容】
【００１３】
本発明の特徴の第５は、押圧手段の下にアース用通電板が設けられており、該アース用通電板の前部及び後部に屋根上パネルの絶縁皮膜を貫通又は破壊可能な爪部が設けられている上記の屋根上パネルの装着具を内容とする。
【手続補正８】
【補正対象書類名】明細書
【補正対象項目名】００２０
【補正方法】変更
【補正の内容】
【００２０】
本発明の屋根上パネルの装着具は、屋根上パネルを化粧スレート板や瓦等の敷設材上に装着するためのものであり、例えば図１乃至図４に示したように、固定部材２は調節部材５が摺動可能な摺動板２ａと、固定金具Ｖを挿通可能な固定孔２ｂ１が穿設された下部板２ｂを有しており、調節部材５は屋根上パネルの周縁部を押圧可能な押圧手段５ｂと、前記摺動板２ａの下面に配置され摺動可能な座板５ａと、該押圧手段５ｂと該座板５ａとを締結することにより固定部材２と押圧手段５ｂの間で屋根上パネルを挟持するための緊締手段５ｃと、摺動板２ａを挟持して摺動板２ａ上における調節部材５の摺動を止める一時的に仮止め手段５ｄを有し、前記固定孔にはブロック状の粘土状粘着剤が配置されていることを特徴とする。
【手続補正９】
【補正対象書類名】明細書
【補正対象項目名】００２９
【補正方法】変更
【補正の内容】
【００２９】
本発明において、下部板２ｂの下には、図２、図３に示すように、緩衝材４を設けることもできる。これにより、装着具１を取り付ける際に該装着具１を敷設材Ｔに強く締め付けても敷設材Ｔが破損する心配がないので、作業性が高められる。また、シール性が付与され、雨水の浸入が阻止される効果もある。このような緩衝材としては、ＥＰＤＭシーラー、軟質ポリウレタンフォーム、ポリエチレンフォーム等が挙げられる。
なお、固定孔２ｂ１の下に前記した粘着剤ブロック３を配置してさらに緩衝材４を設ける場合には、図２、図３に示すように、緩衝材４に前記固定孔２ｂ１と連通する連通孔４Ｈを設けるほうが好ましい。このようにすれば、粘着剤ブロック３が連通孔４Ｈのなかに入り込むので、下部板２ｂ側を下にして本発明の装着具１を床上等に置いた場合でも、粘土状粘着剤が床面に接着するといったトラブルが防止される。
但し、連通孔４Ｈは、かならずしも緩衝材４を貫通している必要はなく、例えば図５（ｂ）に示すように底を有する窪みであってもよく、このような窪みからなる場合は、粘着剤ブロック３を固定孔２ｂ１に嵌着する必要はなく、単に連通孔４Ｈのなかに粘着剤ブロック３を収容してから、緩衝材４を下部板２ｂに接着すればよい。
【手続補正１０】
【補正対象書類名】特許請求の範囲
【補正対象項目名】全文
【補正方法】変更
【補正の内容】
【特許請求の範囲】
【請求項１】
屋根上パネルを敷設材上に装着するための装着具であって、固定部材と調節部材とからなり、
前記固定部材は前記調節部材が摺動可能な摺動板と、固定金具を挿通可能な固定孔が穿設された下部板を有しており、
前記調節部材は前記屋根上パネルの周縁部を押圧可能な押圧手段と、前記摺動板の下面に配置され摺動可能な座板と、該押圧手段と該座板とを締結することにより前記固定部材と前記押圧手段の間で屋根上パネルを挟持するための緊締手段と、前記摺動板を挟持して摺動板上における調節部材の摺動を止める仮止め手段を有し、
前記固定孔にはブロック状の粘土状粘着剤が配置されていることを特徴とする屋根上パネルの装着具。
【請求項２】
粘土状粘着剤がブチルゴムからなることを特徴とする請求項１に記載の屋根上パネルの装着具。
【請求項３】
下部板の下に緩衝材が設けられているとともに、該緩衝材には前記下部板の固定孔と連通する連通孔が設けられていることを特徴とする請求項１又は２に記載の屋根上パネルの装着具。
【請求項４】
前側の敷設材の尻部の上に後側の敷設材の頭部を重ねて敷設材が敷設されている屋根に取り付ける屋根上パネルの装着具であって、固定部材の長さは前後に配置される２枚の敷設材の頭部の間隔よりも長いことを特徴とする請求項１乃至３のいずれかに記載の屋根上パネルの装着具。
【請求項５】
押圧手段の下にアース用通電板が設けられており、該アース用通電板の前部及び後部に屋根上パネルの絶縁皮膜を貫通又は破壊可能な爪部が設けられていることを特徴とする請求項１乃至４のいずれかに記載の屋根上パネルの装着具。